(57)【特許請求の範囲】
【請求項１】
ユーザによってなされた操作に応じて駆動される一方、「月」をカウントする月カウンタのカウント値および「日」をカウントする日カウンタのカウント値に従って駆動され、当該駆動に応じて暦の「日」を表示する日付表示手段と、
前記日付表示手段が表示する日付がユーザによる操作によって変更された場合に、前記変更の前に前記日付表示手段により表示されていた「日」と、前記変更の後に前記日付表示手段により表示される「日」と、変更された日数とに従って、暦の上での前の月の月末日を特定する月末日特定手段と、
前記特定された月末日に応じて暦の上での現在の「月」を推定する推定手段と、
前記月カウンタのカウント値を前記推定手段によって推定された「月」にセットするとともに、前記日カウンタのカウント値を前記変更の後に前記日付表示手段により表示される「日」にセットするカウンタ修正手段と
を具備することを特徴とする日付表示機能付時計。
【請求項２】
前記日付表示手段が表示する日付がユーザによる操作によって「１日」に変更された場合に、前記日付手段により表示されていた変更前の日付が「２９日」または「３０日」であったとき、
前記推定手段は、暦の上での現在の「月」が「３月」であると推定する
ことを特徴とする請求項１に記載の日付表示機能付時計。
【請求項３】
前記日付手段により表示される日付の「３１日」がユーザによる操作によって変更されなかった場合に、
前記月末日特定手段は、暦の上での前の月の月末日を「３１日」であると特定する
ことを特徴とする請求項１に記載の日付表示機能付時計。
【請求項４】
基準月から暦の順に各月の月末日を並べて構成されるパターンであり、当該基準月が特定されるに足る月数分の月末日を並べて構成される月末日出現パターンを基準月ごとに１２ヶ月分を記憶する第１の記憶手段と、
前記日カウンタのカウント値が「３１日」から「１日」になる毎に、「３１日」を月末日情報として出力する第１の出力手段と、
前記月末日特定手段が特定した月末日を月末日情報として出力する第２の出力手段と、
前記第１の出力手段から出力された月末日情報および前記第２の出力手段から出力された月末日情報の夫々を、出力された順番と対応付けて記憶する第２の記憶手段とを備え、
前記推定手段は、前記第２の記憶手段に記憶されている月末日情報を、出力された順に並べて構成されるパターンと一致する前記月末日出現パターンを前記第１の記憶手段から検索し、該当する月末日出現パターンがある場合に、この該当する月末日出現パターンに含まれる月末日の個数と、この月末日出現パターンにより特定される前記基準月とから、暦の上での現在の「月」を推定する
ことを特徴とする請求項１に記載の日付表示機能付時計。
【請求項５】
前記日付表示手段は、「年」をカウントする年カウンタのカウント値と、「月」をカウントする月カウンタのカウント値と、「日」をカウントする日カウンタのカウント値とに従って駆動され、
前記カウンタ修正手段は、
前記月末日特定手段により特定された「日」が「２９日」である場合に、暦の上での現在の「年」が閏年であると推定し、前記年カウンタのカウント値を閏年にセットする
ことを特徴とする請求項１乃至４のいずれかに記載の日付表示機能付時計。
【請求項６】
ユーザによってなされた操作に応じて前記年カウンタのカウント値を更新する年カウンタ更新手段を更に
備えることを特徴とする請求項５に記載の日付表示機能付時計。
【請求項７】
ユーザによってなされた操作に応じて前記月カウンタのカウント値を更新する月カウンタ更新手段を更に
備えることを特徴とする請求項１乃至６のいずれかに記載の日付表示機能付時計。
【請求項８】
前記日付表示手段は、
前記操作子の操作により回転する日付修正車と、
前記日付修正車の回転と連動して回転可能に設けられる一方、前記日付表示駆動手段により回転駆動されるリング状または円盤状の板材であり、１から３１までの数字または当該数字を表す記号が配置された日車と
を備えることを特徴とする請求項１乃７のいずれかに記載の日付表示機能付時計。
【請求項９】
電気を発電する発電手段と、
前記発電された電気を蓄電する蓄電手段と
を備えることを特徴とする請求項１乃至８のいずれかに記載の日付表示機能付時計。
【発明の詳細な説明】
【０００１】
【発明の属する技術分野】
本発明は、日付表示機能付時計に関する。
【０００２】
【従来の技術】
従来から、時刻表示機構のみならず、日付表示機構を備えた腕時計が開発されている。日付表示機構は、日車と呼ばれる円盤状の表示板を備えている。この日車の円周上には、「１」から「３１」までの数字が均等間隔に配置されおり、日車は、時刻表示のための短針を回転駆動する輪列と連動するように構成されている。具体的には、短針が輪列により２４時間分だけ回転駆動されると、日車が１日分だけ（すなわち、回転角度として、３６０/３１度だけ）回転駆動され、腕時計に設けられた表示窓に日付に対応する数字が表示される。しかしながら、この構成の腕時計では、短針が２４時間分だけ回転駆動される度に、１日分だけ日車が回転駆動するだけの構成であるため、ひと月の日数が３１日に満たない小の月（２月、４月、６月、９月、１１月）の月末において、実際の暦には存在しない非存在日が表示されてしまう。
【０００３】
そこで、近年では、制御手段であるＩＣ（Integrated Circuit）と、年月日を示す暦情報を記憶している記憶部と、ＩＣにより駆動制御されるアクチュエータと、このアクチュエータによって回転駆動される日車を備えた日付表示機構とを備えた腕時計が注目されている。このＩＣは、暦情報が示す日付が非存在日か否かを判定する判定機能を備え、この判定機能の判定結果に従って、日付を表示することにより、表示窓には、非存在日が表示されることがなく、暦通りの日付が表示されるようになっている。
【０００４】
【発明が解決しようとする課題】
ここで、ＩＣを備える腕時計にあっては、暦情報は、常に実際の暦の日付と同じ日付を示す必要がある。さらに説明すると、暦情報のうち、「日」だけは、実際の暦とあっているものの、「月」が実際の暦とズレていると、実際の暦の月末日において、腕時計が非存在日を表示してしまう場合がある。このような場合、ユーザが記憶部の暦情報を実際の暦が示す日付に更新する必要があるが、この更新のための作業手順は、多数の操作ステップ（例えば、ユーザが「年」、「月」、「日」の夫々を入力するステップや、正確に日付が入力されたかを確認するためのステップ）からなり、複雑であるばかりか、各操作ステップを実行することは、ユーザにとって煩雑であるといった問題があった。
【０００５】
本発明は、上述した事情に鑑みてなされたものであり、月末日において非存在日が表示された場合に、ユーザが行うべき作業手順を簡略化することができ、さらに、予め記憶されている暦情報が実際の暦を示すように更新される日付表示機能付時計を提供することを目的とする。
【０００６】
【課題を解決するための手段】
上記目的を達成するために、本発明は、ユーザによってなされた操作に応じて駆動される一方、「月」をカウントする月カウンタのカウント値および「日」をカウントする日カウンタのカウント値に従って駆動され、当該駆動に応じて暦の「日」を表示する日付表示手段と、前記日付表示手段が表示する日付がユーザによる操作によって変更された場合に、前記変更の前に前記日付表示手段により表示されていた「日」と、前記変更の後に前記日付表示手段により表示される「日」と、変更された日数とに従って、暦の上での前の月の月末日を特定する月末日特定手段と、前記特定された月末日に応じて暦の上での現在の「月」を推定する推定手段と、前記月カウンタのカウント値を前記推定手段によって推定された「月」にセットするとともに、前記日カウンタのカウント値を前記変更の後に前記日付表示手段により表示される「日」にセットするカウンタ修正手段とを備える日付表示機能付時計を提供する。
【０００７】
この構成によれば、日付表示手段により、非存在日が表示されたとしても、ユーザは、日付表示手段に表示されている「日」を、実際の暦通りの「日」に更新するだけで、更新される前に表示されていた「日」と、更新後の「日」と、更新された日数とから前の月の月末日が特定され、この特定された月末日に従って実際の暦の「月」が推定される。そして、この推定された「月」が月カウンタのカウント値としてセットされる一方、日カウンタのカウント値が更新された「日」にセットされ、日付表示手段が、月カウンタのカウント値と、日カウンタのカウント値に応じて駆動されることにより、推定された日付が表示される。これにより、ユーザは、月カウンタのカウント値をセットすべく、実際の暦における「月」を入力する必要がなく、作業が簡単となる。
【０００８】
上述した日付表示機能付時計において、前記日付表示手段が表示する日付がユーザによる操作によって「１日」に変更された場合に、前記日付手段により表示されていた変更前の日付が「２９日」または「３０日」であったとき、前記推定手段は、暦の上での現在の「月」が「３月」であると推定する構成が望ましい。また、前記日付手段により表示される日付の「３１日」がユーザによる操作によって変更されなかった場合に、前記月末日特定手段は、暦の上での前の月の月末日を「３１日」であると特定する構成も望ましい。
【０００９】
さらに、上述した日付表示機能付時計は、基準月から暦の順に各月の月末日を並べて構成されるパターンであり、当該基準月が特定されるに足る月数分の月末日を並べて構成される月末日出現パターンを基準月ごとに１２ヶ月分を記憶する第１の記憶手段と、前記日カウンタのカウント値が「３１日」から「１日」になる毎に、「３１日」を月末日情報として出力する第１の出力手段と、前記月末日特定手段が特定した月末日を月末日情報として出力する第２の出力手段と、前記第１の出力手段から出力された月末日情報および前記第２の出力手段から出力された月末日情報の夫々を、出力された順番と対応付けて記憶する第２の記憶手段とを備え、前記推定手段は、前記第２の記憶手段に記憶されている月末日情報を、出力された順に並べて構成されるパターンと一致する前記月末日出現パターンを前記第１の記憶手段から検索し、該当する月末日出現パターンがある場合に、この該当する月末日出現パターンに含まれる月末日の個数と、この月末日出現パターンにより特定される前記基準月とから、暦の上での現在の「月」を推定する構成が望ましい。
【００１０】
さらにまた、前記日付表示手段は、「年」をカウントする年カウンタのカウント値と、「月」をカウントする月カウンタのカウント値と、「日」をカウントする日カウンタのカウント値とに従って駆動され、前記カウンタ修正手段は、前記月末日特定手段により特定された「日」が「２９日」である場合に、暦の上での現在の「年」が閏年であると推定し、前記年カウンタのカウント値を閏年にセットすることが望ましい。
【００１１】
上述した日付表示機能付時計において、ユーザによってなされた操作に応じて前記年カウンタのカウント値を更新する年カウンタ更新手段を更に備える構成が好ましく、さらに、ユーザによってなされた操作に応じて前記月カウンタのカウント値を更新する月カウンタ更新手段を更に備える構成も好ましい。
【００１２】
なお、前記日付表示手段は、前記操作子の操作により回転する日付修正車と、前記日付修正車の回転と連動して回転可能に設けられる一方、前記日付表示駆動手段により回転駆動されるリング状または円盤状の板材であり、１から３１までの数字または当該数字を表す記号が配置された日車とを備える構成であっても良い。また、上述した日付表示機能付時計は、電気を発電する発電手段と、前記発電された電気を蓄電する蓄電手段とを備える構成であっても良い。さらにまた、本発明に係る日付表示機能付時計は、ユーザによって操作される操作子として、竜頭を備える構成が好ましく、また、ボタンなどの操作子を備える構成も好ましい。さらに、ユーザの音声に応じて前記日付表示手段を駆動するといった構成であっても良く、また、ユーザの指示入力を取得するタッチパネルなどを備える構成であっても良い。
【００１３】
【発明の実施の形態】
以下、図面を参照して本発明の実施形態について説明する。以下の実施形態では、本発明が腕時計に適用された場合について例示する。
【００１４】
図１は、本発明の実施形態に係る腕時計の概観構成を示す図である。図１に示すように、腕時計１は、時計本体部１ａと、この時計本体部１ａに連結されたベルト１ｂを備えている。時計本体部１ａは、筐体２００と、この筐体２００に設けられた円盤状の文字板２０２を備えている。文字板２０２の上面には、３つの表示指針が設けられている。すなわち、秒針６１と、分針（長針）６２と、時針（短針）６３である。文字板２０２には、その円周に沿って等間隔に時刻を示す記号が配置されており、表示指針の各々が時刻に応じた記号を指し示すことにより、現在時刻が表示される。また、文字板２０２には、略矩形にくり抜かれてなる日付表示窓２０４が設けられており、この日付表示窓２０４には、日付（「日」）を示す「１」乃至「３１」のいずれかの数字が表示される。
【００１５】
図１に示すように、筐体２００の側面には、竜頭８０が回転可能に設けられている。竜頭８０は、ユーザにより操作される操作子であり、ユーザが竜頭８０を回転させると、この回転に連動して日付表示窓２０４に表示されている日付が変更されるようになっている。図２は、筐体２００の内部に組み込まれた日付表示機構の機械的構成を示す平面図である。同図に示すように、腕時計１は、リング状の日車７５を備えている。日車７５の円周上には、「１」から「３１」までの数字が均等間隔に配置されおり、日車７５は、これらの数字のうち、ひとつの数字が日付表示窓２０４に表示されるように設けられている。
【００１６】
また、腕時計１は、歯車である第１日付修正伝え車９２と、この第１日付修正伝え車９２に噛合する歯車である第２日付修正伝え車９３と、この第２日付修正伝え車９３に噛合する歯車である日付修正車９４とを備えている。竜頭８０は、棒状の巻真８１を介して歯部を有する第１日付修正伝え車９２に連結されており、竜頭８０が回転すると、この回転が巻真８１を介して第１日付修正伝え車９２に伝達され、そして、第１日付修正伝え車９２から第２日付修正伝え車９３へ、第２日付修正伝え車９３から日付修正車９４へと伝達される。日付修正車９４の回転軸９４ａは、地板４０に設けられた凹溝９４ｂに沿って移動可能に立設されている。
【００１７】
図４は、本実施形態に係る腕時計の日付修正機構の機械的構成を示す概略図である。ここで、図４は、図２に示す日付表示機構を紙面裏側からみた平面図である。同図において、おしどり８２は、巻真８１と連動して、かんぬき８３を回転させる部材であり、軸８２ａにて図面水平面内に回転自在に設けられている。さらに説明すると、おしどり８２は、図面下方に突出する突出部８２ｂを備えており、この突出部８２ｂが巻真８１の一部に設けられた凹部８１ａに嵌合する一方、おしどり８２の上端部８２ｃが、かんぬき８３と係合している。この構成の下、竜頭８０が図面右方向に引出されると、おしどり８２の突出部８２ｂが図面右方向に移動させられて、おしどり８２が軸８２ａを支点として反時計回り方向に回転する。また、おしどり８２が反時計回り方向に回転すると、おしどり８２の上端部８２ｃがかんぬき８３を押圧するため、かんぬき８３は、軸８３ａを支点として反時計回り方向に回転する。また、かんぬき８３の図面下方の直方部８３ｂは、その端部が日付修正車９４の回転軸９４ａと係合しており、これにより、回転軸９４ａが凹溝９４ｂに沿って図面右方向に移動するのが規制されている。
【００１８】
一方、日付修正車９４の回転軸９４ａが移動する凹溝９４ｂの図面右方の端部には、ピン９５が立設されており、かんぬき８３の突出部８３ｂが反時計回り方向に回転すると、突出部８３ｂがピン９５に当接して、かんぬき８３の回転が制止される。また、突出部８３ｂが反時計回りに回転すると、日付修正車９４の回転軸９４ａが凹溝９４ｂに沿って図面右方向に移動するようになっており、日付修正車９４の外周に設けられた歯が日車７５の内周に設けられた歯と噛合する。
【００１９】
このような構成の下、ユーザが竜頭８０を時計本体部１ａから引出す方向に移動させた後、この竜頭８０を回転させると、日付修正車９４が日車７５と噛合して回転し、これにより、日車７５が回転駆動され、日付表示窓２０４に表示される日付が変更される。一方、ユーザが時計本体部１ａから引出した竜頭８０を押し戻すと、日付修正車９４と日車７５との噛合が外れた状態となる。この状態において、竜頭８０が回転させられても、竜頭８０の回転は、日車７５に伝達されず、日付表示窓２０４に表示される日付が変更されことはない。なお、本実施形態において、竜頭８０は、後述する運針機構の各表示針を駆動するのにも用いられるが、これについては、その説明を省略する。
【００２０】
さて、図２において、圧電アクチュエータ７１は、長手方向を有する板状の圧電素子（不図示）を備えており、面内方向（図の紙面と平行な方向）に振動する。圧電アクチュエータ７１の振動は、ロータ７２と減速輪列を介して日車７５に伝達され、これにより、日車７５が回転駆動される。さらに説明すると、ロータ７２は、圧電アクチュエータ７１の一端部に当接するように、地板４０に回転自在に軸支されている。減速輪列は、ロータ７２の回転を減速して日車７５に伝達するものであり、歯車である日回し中間車７３と日回し車７４とを備えている。日回し中間車７３は、日回し車７４と噛合し、また、日回し車７４は、日車７５の内周に設けられえた歯部と噛合している。
【００２１】
この構成の下、圧電アクチュエータ７１の振動によってそのロータ７２の外周面が叩かれると、ロータ７２が図中矢印で示す方向に回転駆動される。そして、ロータ７２の回転は、日回し中間車４３を介して日回し車７４に伝達され、この日回し車７４が日車７５を時計回り方向に回転させることにより、日付表示窓２０４に表示される日付が変更される。
【００２２】
このように、本実施形態に係る腕時計１にあっては、竜頭８０または圧電アクチュエータ７１により、日付表示窓２０４に表示された日付を変更すべく、日車７５を回転駆動させることができる。さらに、この腕時計１には、竜頭８０または圧電アクチュエータ７１によって日車７５が回転駆動された場合に、何日分の駆動（日送り）がなされたかを検出するための機構が設けられている。以下、この機構について説明する。
【００２３】
図２において、接点ＳＷ１は、日回し中間車７３が１周するごと、すなわち、日車７５が１日分だけ日送りされごとに、導通状態となるものである。詳述すると、接点ＳＷ１は、導電性を有するばね１４３およびピン１４２を備えている。ばね１４３は、弾性を有する金属などを棒状に形成してなり、図中右側の一端部が地板４０に固定されている。また、ばね１４３の図中左側の他端部は、日回し中間車７３の外周面に当接する突出部１４３ａが形成されている。また、ピン１４２は、ばね１４３から離間して立設されている。一方、日回し中間車７３の外周面の一部には、切欠部７３ａが設けられており、ばね１４３の突出部１４３ａが切欠部７３ａと係合したときに、ばね１４３とピン１４２が接触する。この構成において、日回し中間車７３は、圧電アクチュエータ７１によって回転されるものであるから、接点ＳＷ１が非導通状態から導通状態になる回数から、圧電アクチュエータ７１によって日車７５に対して何日分の日送り（以下、「日送量」と称する）がなされたかが検出される。
【００２４】
また、同図に示すように、腕時計１には、日回し車７４の回転に応じて導通状態となる接点ＳＷ２が設けられている。具体的には、この接点ＳＷ２は、導電性を有するばね１４４およびピン１４０を備えている。ばね１４４は、弾性を有する金属などを棒状に形成してなり、図中右側の一端部が地板４０に固定されている。また、ばね１４４の図中左側の他端部は、日回し車７４の支軸に当接している。ピン１４０は、ばね１４４から離間して立設されている。一方、日回し車７４の中心には、眉形状の貫通穴７４ａが形成されており、日回し車７４は、竜頭８０の回転に伴う日車７５の回転によって、回転する際に、貫通穴７４ａに沿って揺動する。この揺動に伴い、ばね１４４がたわみ、ピン１４０と接触し、接点ＳＷ２が導通状態となる。すなわち、接点ＳＷ２の非導通状態から導通状態になる回数（または、導通状態から非導通状態となる回数）から、ユーザによってなされた竜頭８０の回転に伴う日車７５の日送量が検出される。
【００２５】
さらに、同図に示すように、腕時計１には、日車７５によって表示される日付に応じて非導通状態となる接点ＳＷ３が設けられている。図３は、接点ＳＷ３の構成を示す断面図である。図２および図３に示すように、接点ＳＷ３は、導電性を有するばね１４１およびピン１４２を備えている。ばね１４１は、弾性を有する金属などを棒状に形成してなり、図中上方の一端部が地板４０に固定されている。また、ばね１４１の図面下方の他端部は、日車７５の下方（図面垂直方向下側）に進入している。ピン１４２は、ばね１４１に接触する位置に立設されており、これにより、接点ＳＷ３が導通状態となっている。また、図３に示すように、日車７５の下面には、ダボ７５ｂが鉛直方向下向きに立設されている。この構成において、日車７５が回転駆動されるに伴って、ダボ７５ｂがばね１４１とピン１４２とを離間させることにより、接点ＳＷ３が非導通状態となる。このダボ７５ｂが立設される位置は、日付表示窓２０４に「２８日」が表示されるときに、接点ＳＷ３を非導通状態とするような位置であり、これにより、接点ＳＷ３の導通状態から日付表示窓２０４に「２８日」が表示されたことが検出される。
【００２６】
なお、接点ＳＷ３が非導通状態になる日付を何日に対応させるか（すなわち、ダボ７５ｂの立設位置）は任意である。さらに説明すると、任意の日付が表示されるときに、接点ＳＷ３を非導通状態とするような位置にダボ７５ｂが立設された構成にあっても、接点ＳＷ３が非導通状態となるときに日付表示窓２０４に表示される日付と、接点ＳＷ１および接点ＳＷ２が非導通状態となった回数から検出される日送量とから、日付表示窓２０４に表示されている日付が何日であるかが特定されるからである。但し、簡単な構成により月末表示がなされたことを検出する目的から、ダボ７５ｂは、日付表示窓２０４に「２８日」または「２９日」が表示されるときに、接点ＳＷ３を非導通状態とするように日車７５に立設されることが望ましい。
【００２７】
さて、本実施形態に係る腕時計１にあっては、２４時間が経過する毎に、日付表示窓２０４に表示される日付が変更されるべく、圧電アクチュエータ７１が駆動される。以下、この駆動のための構成について説明する。
【００２８】
図５は、腕時計１の電気的構成を機械的構成とともに示す概略図である。同図に示すように、腕時計１は、電源部Ａと、時計本体部１ａの各部の動作を制御する制御部Ｂと、運針機構Ｃと、この運針機構Ｃにより駆動される指針駆動部Ｄとを備えている。電源部Ａは、一次電池や二次電池などのバッテリ４８と、昇降圧回路４９とを備えている。昇降圧回路４９は、３つのキャパシタ４９ａ、４９ｂおよび４９ｃを用いて多段階の昇圧および降圧ができるようになっており、制御部Ｂからの制御信号に応じて指針駆動部Ｄに印加する電圧を調整する。
【００２９】
指針駆動部Ｃは、制御部Ｂの制御の下、駆動パルスを生成し、指針駆動部Ｄに出力する。具体的には、指針駆動部Ｃは、直列に接続されたｐチャンネルＭＯＳ３３ａとｎチャンネルＭＯＳ３２ａ、およびｐチャンネルＭＯＳ３３ｂとｎチャンネルＭＯＳ３２ｂによって構成されたブリッジ回路を備えている。また、指針駆動部Ｃは、ｐチャンネルＭＯＳ３３ａおよび３３ｂとそれぞれ並列に接続された回転検出用抵抗３５ａおよび３５ｂと、これらの抵抗３５ａおよび３５ｂにチョッパパルスを供給するためのサンプリング用のｐチャンネルＭＯＳ３４ａおよび３４ｂを備えている。したがって、これらのＭＯＳ３２ａ、３２ｂ、３３ａ、３３ｂ、３４ａおよび３４ｂの各ゲート電極に制御部Ｂからそれぞれのタイミングで極性およびパルス幅の異なる制御パルスを印加することにより、駆動コイル１１に極性の異なる駆動パルスを供給したり、あるいは、ロータ１３の回転検出用および磁界検出用の誘起電圧を励起する検出用のパルスを供給したりできるようになっている。
【００３０】
運針機構Ｄは、秒針６１、分針６２、時針６３の夫々を運針駆動するものである。具体的には、指針駆動部Ｃから出力された駆動パルスによって駆動されるステッピングモータ１０を備えている。このステッピングモータ１０は、駆動パルスによって磁力を発生する駆動コイル１１と、この駆動コイル１１によって励磁されるステータ１２と、さらに、ステータ１２の内部において励磁される磁界により回転するロータ１３を備えている。また、ステッピングモータ１０は、ロータ１３がディスク状の２極の永久磁石によって構成されたＰＭ型（永久磁石回転型）で構成されている。ステータ１２には、駆動コイル１１で発生した磁力によって異なった磁極がロータ１３の回りのそれぞれの相（極）１５および１６に発生するように磁気飽和部１７が設けられている。
【００３１】
また、ロータ１３の回転方向を規定するために、ステータ１２の内周には、内ノッチ１８が設けられており、コギングトルクを発生させてロータ１３が適当な位置に停止するようにしている。ステッピングモータ１０のロータ１３の回転は、かなを介してロータ１３に噛合された五番車５１、四番車５２、三番車５３、二番車５４、日の裏車５５、筒車５６および２４時車５７からなる輪列部５０によって各針に伝達される。四番車５２の軸には、秒針６１が接続され、二番車５４には、分針６２が接続され、さらに筒車５６には、時針６３が接続されている。ロータ１３の回転に連動してこれらの各針によって時刻が表示される。
【００３２】
２４時車５７は、筒車５６と噛合しており、２４時間が経過する毎に１回転し、２４時車５７に設けられたカム５７Ａにより「２４時（午前零時）」になると常閉接点を構成するスイッチシャフト８１およびスイッチピン８２が互いに離間し、開状態（オフ状態）となる。これにより制御部Ｂは、現在時刻が「零時」になったことを検出し、日付表示窓２０４に表示された日付を更新すべく、日付駆動部Ｆを制御し、日付駆動部Ｆは、制御部Ｂの制御の下、圧電アクチュエータ７１を駆動する。これにより、圧電アクチュエータ７１が駆動され、日付表示機構Ｅが備える日車７５が回転駆動される。
【００３３】
このように、本実施形態に係る腕時計１は、ユーザが手動で日付を変更可能にする機構として、竜頭８０を備えた機構とともに、ユーザが日付を変更しなくとも、２４時間が経過する毎に１日分だけ日付を変更する機構を備えている。この構成により、例えば、バッテリ４８が消耗され尽くして、２４時間毎に日付が変更される機構が停止したとしても、ユーザは、バッテリ４８を換装した後に、竜頭８０により、日付表示窓２０４に表示されている日付を暦通りの日付に更新することができるようになっている。
【００３４】
さらに、本実施形態に係る腕時計１の制御部Ｂは、年月日を示す暦情報を記憶しているものの、ユーザが竜頭８０により日付を更新するにともない、別途、暦情報を変更する場合に、ユーザが複雑な手順を踏まなくとも暦情報が変更される構成となっている。以下、この構成について詳述する。
【００３５】
図６は、制御部Ｂとその周辺構成の機能ブロック図である。同図において、発振回路１０１は、水晶振動子などの基準振動子を備え、発振信号を分周回路１０２に出力する。分周回路１０２は、受け取った発振信号を分周して各種周波数のクロック信号を指針駆動部Ｃに出力する。指針駆動部Ｃは、分周回路１０２からのクロック信号に従って駆動パルスを生成し、運針機構Ｄが備えるステッピングモータ１０に出力する。これにより、ステッピングモータ１０が駆動され、このステッピングモータ１０に連動して輪列部５０が駆動されて、秒針６１、分針６２、時針６３の各表示指針が運針駆動される。また、２４時検出部１０３は、上述したスイッチシャフト８１およびスイッチピン８２の開／閉状態に応じて表示時刻が「２４時」になったことを検出し、２４時検出信号Ｓ２４Ｈとして暦カウンタ１０９に出力する。
【００３６】
暦カウンタ１０９は、暦情報として、「年」、「月」および「日」の夫々の情報を記憶するものである。詳述すると、暦カウンタ１０９は、日カウンタ１０９Ａと、月カウンタ１０９Ｂと、年カウンタ１０９Ｃとを備えている。日カウンタ１０９Ａは、「０」から「３０」までをサイクリックにカウントするものであり、２４時検出信号Ｓ２４Ｈが入力される毎に、カウント値を「１」だけインクリメントする。また、日カウンタ１０９Ａは、カウント値が「０」になったとき（すなわち、３１日が経過する毎）に、日カウンタ信号を月カウンタ１０９Ｂに出力する。月カウンタ１０９Ｂは、「０」から「１１」までをサイクリックにカウントするものであり、日カウンタ信号が入力される毎に、カウント値を「１」だけインクリメントし、カウント値が「０」になったとき（すなわち、１２ヶ月が経過する毎）に、月カウンタ信号を年カウンタ１０９Ｃに出力する。年カウンタは、月カウンタ信号に従って西暦年をカウントするものである。このような暦カウンタ１０９の構成により、各カウンタが示すカウント値により、「年」、「月」、「日」が示されるようになっている。また、暦カウンタ１０９は、日カウンタ１０９Ａから日カウンタ信号が出力される毎に、各カウンタのカウント値によって示される暦情報（すなわち、「年」、「月」および「日」）を暦信号として主制御部１２０に出力する。
【００３７】
主制御部１２０は、例えばＣＰＵ（Central Processing Unit）などからなる制御回路１２０Ａと、例えばＲＡＭ（Random Access Memory）などの揮発性メモリ１２０Ｂと、バッファ１２０Ｃと、例えばＥＰＲＯＭ（Erasable Programmable Read-Only Memory）などの不揮発性メモリ１２０Ｄとを備えている。揮発性メモリ１２０Ｂは、制御回路１２０Ａのワークエリアとして用いられる。バッファ１２０Ｃは、制御回路１２０Ａの制御の下、各種情報を制御回路１２０Ａから受け取った順番で記憶し、また、制御回路１２０Ａによって読み出される場合には、記憶した順番で情報を出力する。不揮発性メモリ１２０Ｄは、制御回路１２０Ａにより実行される各種プログラムやデータを記憶している。不揮発性メモリ１２０Ｄに記憶されているプログラムとしては、制御回路１２０Ａが腕時計１の各部を制御する際に実行する制御プログラムや、暦カウンタ１０９の暦情報が示す日付が非存在日であるかを判定するための日存在日判定プログラムなどがある。また、不揮発性メモリ１２０Ｄには、固有パターンテーブル１２０Ｄａや、暦カウンタ修正プログラムが記憶されているが、これらについては、後に詳述する。
【００３８】
この構成の下、主制御部１２０の制御回路１２０Ａは、暦カウンタ１０９から暦信号を受け取ると、非存在日判定プログラムに従って、この暦信号により示される暦情報の日付が非存在日であるか否かを判定し、非存在日であると判定した場合に、暦カウンタ１０９の各カウンタ１０９Ａ、１０９Ｂ、１０９Ｃの値を修正する。より具体的に説明すると、制御回路１２０Ａは、暦情報により示される「月」（すなわち、月カウンタ１０９Ｂのカウント値）が、小の月（２月、４月、６月、９月、１１月）であるかを判定し、小の月であると判定した場合に、暦情報により示される「日」が小の月における非存在日であるかを判定する。この判定結果が非存在日であるとの判定である場合に、暦カウンタ１０９は、暦カウンタ１０９の日カウンタ１０９Ａに対して、カウント値を「０」にリセットさせるリセット信号を出力するとともに、月カウンタ１０９Ｂに対して、カウント値を「１」だけインクリメントさせるインクリメント信号を出力する。また、制御回路１２０Ａは、暦情報により示される西暦年（すなわち、年カウンタ１０９Ｃのカウント値）が閏年であるかを判定し、西暦年が閏年である場合には、「２月２９日」を存在日とするようになっている。従って、暦カウンタ１０９が記憶する暦情報が非存在日を示さないようになっている。なお、制御回路１２０Ａが非存在日判定プログラムに従って暦カウンタ１０９の各カウンタ１０９Ａ〜１０９Ｃを修正する構成に代えて、各カウンタ１０９Ａ〜１０９Ｃのカウント値が非存在日を示すことのないような論理回路が予め設計された暦カウンタ１０９を用いる構成としても良い。
【００３９】
さらに、制御回路１２０Ａは、暦カウンタ１０９から暦信号を受け取ると、上述したように、この暦信号により示される暦情報が非存在日であるかに応じて暦カウンタ１０９が記憶する暦情報を修正し、修正後の暦情報に従って、何日に日送りすべきかを特定し、この特定した日数分だけ日車７５が回転駆動されるように、日付駆動部Ｆを駆動制御するようになっている。
【００４０】
次いで、同図において、日送検出部１１９は、ユーザが竜頭８０を用いて日車７５を回転させたときに、日車７５の日送量を検出し主制御部１２０に出力するものである。より具体的には、この日送検出部１１９は、上述した、接点ＳＷ１、ＳＷ２、ＳＷ３を含んで構成されている。接点ＳＷ１、ＳＷ２、ＳＷ３の夫々は、主制御部１２０に電気的に接続されている。従って、主制御部１２０は、上述したように接点ＳＷ１が非導通状態となった回数を計数することで圧電アクチュエータ７１による日送量を特定し、接点ＳＷ２が非導通状態となった回数を計数することで竜頭８０の回転に伴う日送量を特定する。さらに、主制御部１２０は、接点ＳＷ３が非導通状態となったことを検出することで、日付表示窓２０４に「２８日」が表示されたことを検出する。従って、圧電アクチュエータ７１により日車７５の日送りが行われる場合には、接点ＳＷ１、ＳＷ３による検出結果から、日付表示窓２０４に何日が表示されているかが特定され、さらに、竜頭８０にて日付修正が行われた場合には、接点ＳＷ２による検出結果も用いて日付表示窓２０４に表示される日付が特定される。
【００４１】
また、主制御部１２０は、変更前日付ＢＤと変更後日付ＡＤの特定結果に応じて暦カウンタ１０９の各カウンタ１０９Ａ〜１０９Ｃのカウント値を修正するようになっている。すなわち、暦カウンタ１０９が指し示す暦と、実際の暦との間にズレが生じた場合に、従来の腕時計にあっては、ユーザが実際の暦である「月」、「日」の夫々の情報を入力する必要があったが、本実施形態に係る腕時計１は、ユーザに対して「日」のみの変更を要求するようになっている。
【００４２】
より具体的には、本実施形態に係る腕時計１の主制御部１２０は、ユーザが表示日付を変更した場合に、何日（以下、「変更前日付ＢＤ」という）から何日（以下、「変更後日付ＡＤ」という）に変更したかを特定し、暦カウンタ１０９の日カウンタ１０９Ａのカウント値を変更後日付ＡＤに対応する値にセットするとともに、実際の暦における「月」を推測して暦カウンタ１０９の月カウンタ１０９Ｂをセットする。そして、主制御部１２０は、それ以降、日カウンタ１０９Ａのカウント値が「０」になる（すなわち、３１日分の日数が経過する）か、または、ユーザにより表示された日付が変更されると、実際の暦に合わせるべく、暦カウンタ１０９の暦情報を更新する。
【００４３】
このような処理を実現するために、不揮発性メモリ１２０Ｄには、固有パターンテーブル１２０Ｄａが記憶されている。図７は、固有パターンテーブル１２０Ｄａの構成を示す概念図である。同図に示すように、固有パターンテーブル１２０Ｄａには、１月から１２月までの月毎に、その月から以降数ヶ月に渡る各月の月末日（図８参照）の並びが固有パターンＵＰ１〜ＵＰ１２として記録されている。夫々の固有パターンＵＰ１〜ＵＰ１２は、次のようにして決定されている。すなわち、図９に示すように、実際の暦の上の１月から１２月までの夫々の月末日が循環するように順に並べてなる循環パターンのうち、１つの月の月末日を起点Ｏとし、その起点Ｏに対応する月から数ヶ月に渡る月末日の固有パターンＵＰを形成したときに、この固有パターンＵＰが、どの月を起点Ｏにして形成されているかが特定され得る最小の月数の月末日の並びにより決定される。例えば、図９において、１月が起点であると特定され得る固有パターンＵＰ１は、「３１」「２８（２９）」となる。また、例えば３月が起点であると特定され得るパターン列ＵＰ３は、３月から７ヶ月後までの夫々の月末日からなる。
【００４４】
次いで、ユーザが日付表示窓２０４に表示された日付を変更したときから、主制御部１２０の制御回路１２０Ａによって実行される暦カウンタ修正処理について説明する。以下の説明にあっては、暦カウンタ１０９の暦情報が示す暦は、実際の暦とズレているものとする。また、制御回路１２０Ａは、以下に説明する処理を実行している間は、月末日において「３１日」が表示されるようにするため、上述した非存在日の判定を行わないものとする。さらにまた、以下に説明する処理は、ユーザにより日付が月の初日（「１日」）に更新されるか、日カウンタ１０９Ａのカウント値が「０」（すなわち、日カウンタ１０９Ａが更新されてから「３１日」が経過する）になったときに実行されるものとする。
【００４５】
図１０は、制御回路１２０Ａが実行する暦カウンタ修正プログラムの処理手順を示すフローチャートである。同図に示すように、先ず、制御回路１２０Ａは、日送検出部１１９が備える各接点ＳＷ１〜ＳＷ３からの検出信号から、ユーザによってなされた日付変更に伴う変更後日付ＡＤが「１日」であるか否かを判定する（ステップＳ１）。この判定結果が「ＹＥＳ」であれば、制御回路１２０Ａは、変更前日付ＢＤが「２９日」または「３０日」であるかを判定する（ステップＳ２）。この判定結果が「ＹＥＳ」であれば、ユーザが「２月」から「３月」に日付を修正したことを示すため、制御回路１２０Ａは、日付として「３月１日」を暦カウンタ１０９に記憶させるべく、日カウンタ１０９Ａに対してカウント値を「０」にセットさせるとともに、月カウンタ１０９Ｂに対してカウント値を「２」にセットする（ステップＳ３）。そして、制御回路１２０Ａは、バッファ１２０Ｃを初期化して（ステップＳ４）、暦カウンタ修正処理を終了する。
【００４６】
一方、ステップＳ２における判定結果が「ＮＯ」である場合、日付表示窓２０４に「３１」が表示されているときに、ユーザにより日付が変更されたことを示す。従って、この場合、制御回路１２０Ａは、ユーザによる変更前の実際の月末日が「３０日」であることを記憶すべく、月末日情報ＭＥとして「３０」をバッファ１２０Ｃに出力して記憶させる（ステップＳ５）。
【００４７】
さて、ステップＳ１における判定結果が「ＮＯ」であれば、この処理は、日カウンタ１０９Ａのカウント値が「０」になったために行われる処理であることになる。すなわち、日付表示窓２０４に「３１」が表示されていても、ユーザにより日付が変更されなかったことを示す。従って、先月の月末日が「３１日」であることが特定され、制御回路１２０Ａは、先月の月末日が「３１日」であることを記憶すべく、月末日情報ＭＥとして「３１」をバッファ１２０Ｃに記憶させる（ステップＳ６）。このように、ステップＳ５およびＳ６の処理が実行される毎、すなわち、実際の暦が月の初日になる毎に、先月の実際の月末日がバッファ１２０Ｃに記憶される。
【００４８】
次いで、制御回路１２０Ａは、バッファ１２０Ｃに記憶された月末日情報ＭＥに従って、暦カウンタ１０９の暦情報を何月何日に変更すべきかを特定するための処理を実行する。すなわち、図１１に示すように、制御回路１２０Ａは、バッファ１２０Ｃから月末日情報ＭＥが記憶された順に取り出して、月末日情報ＭＥをバッファ１２０Ｃから取り出した順に並べてなる「３０」および「３１」の出現パターン（以下、「対象パターンＯＰ」という）を生成する（ステップＳ７）。そして、制御回路１２０Ａは、対象パターンＯＰと固有パターンテーブル１２０Ｄａに記録されている各固有パターンＵＰ１〜ＵＰ１２の夫々とを比較して、対象パターンＯＰと一致する固有パターンＵＰがあるか否かを判定する（ステップＳ８）。
【００４９】
ステップＳ８における判定結果が「ＮＯ」であれば、対象パターンＯＰを形成する月末日情報ＭＥの個数が起点Ｏ（図９参照）に対応する月を特定し得るに満たないことを示すため、制御回路１２０Ａは、今月の実際の月末日を取得すべく、処理手順をステップＳ１に戻す。一方、ステップＳ８における判定結果が「ＹＥＳ」である場合、制御回路１２０Ａは、対象パターンＯＰと一致する固有パターンＵＰに対応する月（起点Ｏ）を特定し、この特定した月の翌月の初日（すなわち、実際の暦が示す日付）を示すように暦カウンタ１０９をセットし（ステップＳ９）、バッファ１２０Ｃを初期化して（ステップＳ１０）、処理を終了する。そして、制御回路１２０Ａは、暦カウンタ１０９の日カウンタ１０９Ａがカウントアップする毎に、暦カウンタ１０９の暦情報が示す日付が非存在日であるか否かの判定を再開し、これにより、腕時計１の日付機構がいわゆるオートカレンダーとして機能することとなる。
【００５０】
なお、暦カウンタ修正プログラムの処理手順において、ユーザが日付表示窓２０４に表示される日付を「１日」に変更した場合に、暦カウンタ１０９のカウント値を修正するかを判断した。しかしながら、本実施形態に係る腕時計１にあっては、ユーザが日付修正のために、日付表示窓２０４に表示される日付を「１日」以外の日に変更した場合であっても、月を推測するために、暦カウンタ修正プログラムの処理手順を実行することが可能である。すなわち、変更前日付ＢＤと変更後日付ＡＤとから、何日分の修正がなされたかが特定され、これにより、前月の月末日が何日までであったかが特定されるから、上述した処理手順により、現在の月を推測することが可能となる。
【００５１】
以上説明したように、本実施形態によれば、ユーザが「月」、「日」のうち、「日」を示す情報を腕時計１に入力するだけで、腕時計１の暦カウンタ１０９の各カウンタ１０９Ａ〜１０９Ｃのカウント値により示される日付が実際の暦に変更される。より具体的には、日付表示窓２０４に実際の日付とズレた日付が表示されたとしても、ユーザは、竜頭８０により、日車７５を回転させて表示された日付を変更（修正）すれば、制御回路１２０Ａにより、暦の上の現在の「月」が推測される。すなわち、ユーザは、複雑な作業をすることなく、「日」を示す情報を腕時計１に入力するだけで、簡単に腕時計１が記憶する暦情報を実際の暦に変更することができる。また、ユーザが「日」を示す情報だけを入力するだけであるので、腕時計１の暦情報を変更するために、従来のように、ユーザが複雑な作業手順を記憶する必要がない。
【００５２】
＜変形例＞
上述した実施形態は、本発明の一態様を示すものであり、本発明の範囲内で任意に変更可能である。そこで以下に、各種の変形例を説明する。
【００５３】
（変形例１）
上述した暦カウンタ修正プログラムの処理手順のステップＳ８において、制御回路１２０Ａは、対象パターンＯＰと固有パターンテーブル１２０Ｄａに記録されている各固有パターンＵＰ１〜ＵＰ１２の夫々とを比較して、対象パターンＯＰと一致する固有パターンＵＰがない場合、処理手順をステップＳ１に戻した。しかしながら、ステップＳ８における判別結果が「ＮＯ」である場合に、制御回路１２０Ａは、対象パターンＯＰと今後一致する可能性のある（すなわち、対象パターンＯＰを含む）固有パターンＵＰの中から任意の固有パターンＵＰを選択する。そして、制御回路１２０Ａは、この選択した固有パターンＵＰに対応する月を実際の暦の月であるものと仮設定し、その仮設定した月を暦カウンタ１０９の月カウンタ１０９Ｂにセットした後に処理手順をステップＳ１に戻すことが望ましい。例えば、対象パターンＯＰが「３１」「３０」「３１」であった場合、図７に示すように、この対象パターンＯＰと一致しないものの、今後一致する可能性のある固有パターンＵＰに対応した月は、「３月」、「５月」、「８月」、「１０月」となる。そこで、ステップＳ８における判別結果が「ＮＯ」である場合に、制御回路１２０Ａは、「３月」、「５月」、「８月」、「１０月」の中の何れかの月に月カウンタ１０９Ｂをセットする。これにより、暦カウンタ１０９の各カウンタ１０９Ａ〜１０９Ｃが示す日付と実際の日付とが合致する可能性が増大し、それに伴い、ユーザによる日付の修正回数を減らすことができる。
【００５４】
（変形例２）
また上述した実施形態において、暦カウンタ修正処理のステップ８が示す処理にあっては、主制御部１２０の制御回路１２０Ａは、対象パターンＯＰの起点Ｏに対応する月が特定されず、処理手順をステップＳ１に戻した。しかしながら、制御回路１２０Ａは、処理手順をステップＳ１に戻す前に、次の処理を実行しても良い。すなわち、制御回路１２０Ａは、対象パターンＯＰの起点Ｏに対応する月が「３月」であると仮定した場合に、今月（現在の月）に対応する月を暦カウンタ１０９の月カウンタ１０９Ｂにセットした後に、処理手順をステップＳ１に戻す。ここで、対象パターンＯＰの起点Ｏが「３月」であると仮定するのは、次の理由からである。すなわち、図７に示すように、月毎に固有パターンＵＰを比較すると、３月の固有パターンＵＰ３と８月の固有パターンＵＰ８に「３１日」が最も多く含まれている。換言すれば、実施形態の腕時計１にあっては、対象パターンＯＰの起点Ｏが特定されない間は、月末日として「３１日」が表示されるようになっているため、ユーザが実際の月末日において、日付表示窓２０４に表示された日付を変更する回数を低減することができる。なお、ステップＳ８において、制御回路１２０Ａは、対象パターンＯＰの起点Ｏに対応する月が「８月」であると仮定しても良いことは、言うまでもない。
【００５５】
（変形例３）
さらにまた、上述した実施形態において、暦カウンタ修正処理のステップＳ２（図１０参照）が示す処理にあっては、主制御部１２０の制御回路１２０Ａは、先月が２月であったかを特定するために、変更前日付ＢＤが「２９日」または「３０日」であるかを判定した。しかしながら、このステップＳ２において、制御回路１２０Ａは、さらに、変更前日付ＢＤが「２９日」であるか「３０日」であるかを判定して、この判定結果が「３０日」である場合に、暦カウンタ１０９の年カウンタ１０９Ｃを閏年になるようにセットしても良い。
【００５６】
（変形例４）
上述した実施形態に係る腕時計１にあっては、ユーザが竜頭８０を回転させて、日車７５を回転駆動すると、日送信号が主制御部１２０に入力されるようになっている。しかしながら、この構成では、ユーザが誤って日車７５を回転駆動し、日付表示窓２０４に「１」を表示させてしまうといった場合であっても、主制御部１２０Ａは、暦カウンタ修正処理を実行する。そこで、作業が煩雑にならない程度に、所定の手順を踏まなければ、日送信号が主制御部１２０に出力されないといように実施形態を変形しても良い。このような作業手順としては、例えば引っ張られたときに竜頭８０が段階的に移行する構成とし、ユーザが竜頭８０を１段→０段→１段と数秒以内に移行させるといった手順や、腕時計１に振動を検知するセンサを設け、ユーザが竜頭８０を１段移行させた後、数秒の間、腕時計１に対して振動を与えるといった手順が考え得る。また、腕時計１に竜頭８０の他にボタン等の操作子を設け、ユーザがボタンを押下しつつ、竜頭８０を１段階移行させるといった手順も考え得る。本変形例によれば、ユーザの誤った操作により、制御回路１２０Ａが暦カウンタ修正処理を開始してしまうといったことが防止される。
【００５７】
（変形例５）
上述した実施形態において、竜頭８０の回転により日車７５が回転する構成について例示した。しかしながら、例えばボタンなどの他の操作子の操作によって、日車７５が回転するような構成としても良い。
【００５８】
（変形例６）
上述した各実施形態において、本発明が腕時計に適用された場合について例示したが、これに限らず、懐中時計などの携帯型時計に適用されても良く、また、固定型の時計に適用されても良い。また、これらの時計が所謂オートリレー機能付（すなわち、発電機能付）の時計であっても良い。さらにまた、本実施形態の腕時計１が、従来の電子時計が備える機能として、竜頭８０（操作子）の操作により月カウンタ１０９Ｂのカウント値および/または年カウンタ１０９Ｃのカウント値が更新される機能を更に備える構成であっても良い。より具体的には、竜頭８０が多段階に移行する構成とし、さらに、腕時計１に振動を検知するセンサを設ける構成とする。この構成において、ユーザが腕時計１に対して所定の動作を行ったときに、月修正モードまたは年修正モードに移行する。
【００５９】
月修正モードについて例示すると、ユーザが竜頭８０を１段だけ引き出し、数秒の間、腕時計１に対して振動を与え続けたときに、腕時計１が月修正モードに移行する。月修正モードにあっては、秒針６１が月カウンタ１０９Ｂのカウント値に応じて、文字板２０２上のいずれかの記号または数字を指すようになっている。具体的には、月カウンタ１０９Ｂのカウント値が６月を示していれば、秒針６１が６時を指すようにする。月修正モードにおいて、ユーザは、秒針６１が指し示す月が実際の月からズレていれば、竜頭８０を用いて秒針６１が実際の月を指すように修正し、この修正された月が月カウンタ１０９Ｂにセットされる。ユーザが竜頭８０を０段目に戻すと、月修正モードが終了する。このように、本実施形態の腕時計１に従来の電子時計が備えるカウンタ修正機能（暦情報修正機能）を設けることにより、日付修正が煩雑であっても良いから正確な日付を表示させるようにしたいと所望するユーザの要求を満足させることができる。
【００６０】
【発明の効果】
以上説明したように、本発明によれば、月末日において非存在日が表示された場合に、ユーザが行うべき作業手順を簡略化することができ、さらに、予め記憶されている暦情報が実際の暦を示すように更新される日付表示機能付時計が提供される。
【図面の簡単な説明】
【図１】  本発明の実施形態に係る腕時計の概観構成を示す図である。
【図２】  日付表示機構の構成を示す概略図である。
【図３】  接点ＳＷ３の構成を示す側面図である。
【図４】  日付修正機構の機械的構成を示す図である。
【図５】  腕時計の電気的構成を機械的構成とともに示す概略図である。
【図６】  制御部Ｂとその周辺構成の機能ブロック図である。
【図７】  固有パターンテーブルの構成を示す概略図である。
【図８】  １２ヶ月に渡る各月の月末日を示す図である。
【図９】  固有パターンを説明するための図である。
【図１０】  主制御部の制御回路により実行される暦カウンタ修正処理手順を示すフローチャートである。
【図１１】  対象パターンと固有パターンの比較を説明するための図である。
【符号の説明】
Ｂ・・・制御部、ＳＷ１、ＳＷ２、ＳＷ３・・・接点、１・・・腕時計、７１・・・圧電アクチュエータ、７５・・・日車、８０・・・竜頭、８２・・・おしどり、８３・・・かんぬき、９４・・・日付修正車、１０９・・・暦カウンタ、１０９Ａ・・・日カウンタ、１０９Ｂ・・・月カウンタ、１０９Ｃ・・・年カウンタ、１１９・・・日送検出部、１２０・・・主制御部、１２０Ａ・・・制御回路、１２０Ｄａ・・・固有パターンテーブル、２０４・・・日付表示窓
【図１】
0003912128.tif 000002
【図２】
0003912128.tif 000003
【図３】
0003912128.tif 000004
【図４】
0003912128.tif 000005
【図５】
0003912128.tif 000006
【図６】
0003912128.tif 000007
【図７】
0003912128.tif 000008
【図８】
0003912128.tif 000009
【図９】
0003912128.tif 000010
【図１０】
0003912128.tif 000011
【図１１】
0003912128.tif 000012